(57)【要約】【課題】シャーシに任意の部品を押付けて固定する固定具の固定操作により前記任意の部品をシャーシに押付けて固定するとき、前記部品と異なる任意の物体をシャーシに押付けて固定することができる表示装置を提供する。【解決手段】前側に画像表示面を有する表示部の後側に配されたバックライト部を支持するシャーシ３に、一端を固定した軸体３３を設け、該軸体３３の他端に、任意の部品を押付けて固定する押付部材９と、前記部品と異なる任意の他の物体を押付けて固定する固定補助体１０及びボルト８とを取着し、該ボルト８を緊締することにより押付部材９及び固定補助体１０を押付け、前記部品及び他の物体を押付けて固定するようにした。【選択図】図３
2007108603.tif 000002
【特許請求の範囲】
【請求項１】
前側に画像表示面を有する表示部の後側に配されたバックライト部と、該バックライト部を支持するシャーシと、該シャーシに任意の部品を押付けて固定する固定具とを備える表示装置において、前記固定具の固定操作により前記部品と異なる他の物体を前記シャーシに押付けて固定する固定補助体を備えることを特徴とする表示装置。
【請求項２】
前記シャーシは、一端を固定し且つ他端に前記固定具が取着される軸体を有しており、前記固定補助体は、前記固定具が前記軸体の他端に取着されることにより前記軸体の他端に挾着される被挾着部及び該被挾着部から前記軸体の一端側に延出された押付部を有する請求項１記載の表示装置。
【請求項３】
前記シャーシは一端を固定した軸体を有し、前記固定具は前記軸体の他端に取着された被取着部及び該被取着部から前記軸体の径方向に延出された押付部を有する押付部材と、該押付部材を前記軸体の他端に取着する取着手段とを備え、前記固定補助体は前記押付部材が取着されることにより前記軸体の他端に挾着される被挾着部及び該被挾着部から前記軸体の一端側に延出された押付部を有する請求項１記載の表示装置。
【請求項４】
前記固定補助体は前記押付部材と一体に設けてある請求項３記載の表示装置。 
【発明の詳細な説明】
【技術分野】
【０００１】
本発明は液晶表示装置等の表示装置に関する。
【背景技術】
【０００２】
テレビ等の表示装置は、画像を表示する画像表示面を前側に有する表示部の裏側にバックライト部と、該バックライト部を支持するシャーシと、該シャーシの後側に取着された電気部品とを備える（例えば、特許文献１参照。）。
【０００３】
バックライト部は両端部に電極を有する複数の蛍光管を備え、該蛍光管が表示部のパネルと平行的に並置されており、夫々の蛍光管の電極に電源線が接続されている。また、シャーシは直方体をなす枠部材及び該枠部材の一端を閉鎖する蓋板を備え、該蓋板の後側に、一端がカシメにより固定された複数の軸体と、夫々の軸体の他端に取着され、前記電源線の束ね環を蓋板に押付けて固定する固定具とが設けられている。この固定具は、前記軸体の他端から径方向に延出された押付部材及び該押付部材を前記軸体の他端に取着するボルトを備える。
【０００４】
ところで、表示装置が比較的大形の場合、前記シャーシの反り、強度低下をなくすべく特許文献１のように前記枠部材の対向する二辺間に杆状の補強部材を配置し、該補強部材の両端を枠部材に固定している。
【特許文献１】特開２００２−６７５５号公報
【発明の開示】
【発明が解決しようとする課題】
【０００５】
以上のように補強部材の両端だけを固定しただけでは補強効果が低いため、補強部材の中途を前記蓋板に固定する必要がある。この補強部材の中途を蓋板に固定するには、該蓋板に螺子孔を設け、該螺子孔にビスを螺着することが考えられる。しかし、このようにビスにより固定すると、例えば蛍光管が放射した光の反射に悪影響を与えたりする恐れがあるため、従来では補強部材の中途を両面テープにより蓋板に結合していた。しかし、このように両面テープにより固定する構成にあっては、両面テープが剥離することがあり、改善策が要望されていた。
【０００６】
本発明は斯かる事情に鑑みてなされたものであり、主たる目的はシャーシに任意の部品を押付けて固定する固定具の固定操作により任意の他の物体を前記シャーシに押付けて固定する固定補助体を設けることにより、他の物体を固定する固定操作を殊更行うことなく他の物体を押付けて固定することができる表示装置を提供することにある。
【０００７】
また、他の目的は固定具を取着するための軸体をシャーシに固定し、該軸体に挾着される被挾着部及び該被挾着部から前記軸体の一端側に延出された押付部を有する固定補助体を備える構成とすることにより、他の物体の押付力を比較的大きくすることができる表示装置を提供することにある。
【０００８】
また、他の目的は固定具を取着するための軸体をシャーシに固定し、該軸体に取着される押付部材及び該押付部材を前記軸体に取着する取着手段を有する固定具と、前記軸体に挾着される被挾着部及び該被挾着部から前記軸体の一端側に延出された押付部を有する固定補助体とを備える構成とすることにより、任意の部品と他の物体とが軸体と偏倚した位置に配されている場合においても固定具の固定操作を行うことにより、任意の部品及び他の物体を押付けて固定することができる表示装置を提供することにある。
【０００９】
また、他の目的は固定補助体を押付部材と一体に設けることにより、任意の部品を固定する部品点数により他の物体を押付けて固定することができる表示装置を提供することにある。
【課題を解決するための手段】
【００１０】
本発明に係る表示装置は、前側に画像表示面を有する表示部の後側に配されたバックライト部と、該バックライト部を支持するシャーシと、該シャーシに任意の部品を押付けて固定する固定具とを備える表示装置において、前記固定具の固定操作により前記部品と異なる他の物体を前記シャーシに押付けて固定する固定補助体を備えることを特徴とする。
【００１１】
この発明にあっては、シャーシに任意の部品を押付けて固定する固定具の固定操作により任意の部品をシャーシに押付けて固定するとき、固定補助体を動作させ、該固定補助体により任意の他の物体をシャーシに押付けて固定することができる。従って、固定補助体を固定操作する手段を特別に設ける必要がなく、簡易な構成により任意の他の物体を固定することができる。
【００１２】
また、本発明に係る表示装置は、前記シャーシは、一端を固定し且つ他端に前記固定具が取着される軸体を有しており、前記固定補助体は、前記固定具が前記軸体の他端に取着されることにより前記軸体の他端に挾着される被挾着部及び該被挾着部から前記軸体の一端側に延出された押付部を有することを特徴とする。
【００１３】
この発明にあっては、固定補助体による押付力を押付部から軸体の軸長方向に加えることができるため、他の物体の押付力を比較的大きくすることができ、他の物体の固定強度を増加できる。
【００１４】
また、本発明に係る表示装置は、前記シャーシは一端を固定した軸体を有し、前記固定具は前記軸体の他端に取着された被取着部及び該被取着部から前記軸体の径方向に延出された押付部を有する押付部材と、該押付部材を前記軸体の他端に取着する取着手段とを備え、前記固定補助体は前記押付部材が取着されることにより前記軸体の他端に挾着される被挾着部及び該被挾着部から前記軸体の一端側に延出された押付部を有することを特徴とする。
【００１５】
この発明にあっては、任意の部品及び他の物体が軸体と偏倚した位置に配されている場合においても固定具の固定操作を行うことにより、任意の部品及び他の物体を押付けて固定することができる。
【００１６】
また、本発明に係る表示装置は、前記固定補助体は前記押付部材と一体に設けてあることを特徴とする。
【００１７】
この発明にあっては、任意の部品を固定する部品点数により他の物体を押付けて固定することができるため、任意の部品及び他の物体を固定することができる割に簡易な構成にでき、コストをより一層低減できる。
【発明の効果】
【００１８】
以上詳述したように本発明によれば、固定具の固定操作により任意の部品を固定することができるとともに、前記部品と異なる他の物体を固定する固定操作を殊更行うことなく他の物体を押付けて固定することができ、他の物体の固定作業性を向上でき、また、簡易な構成により他の物体を固定することができる。
【００１９】
また、本発明によれば、固定補助体による押付力を押付部から軸体の軸長方向に加えることができるため、他の物体の押付力を比較的大きくすることができ、他の物体の固定強度を増加できる。
【００２０】
また、本発明によれば、任意の部品と他の物体とが軸体と偏倚した位置に配置されている場合においても固定具の固定操作を行うことにより、任意の部品及び他の物体を押付けて固定することができる。
【００２１】
また、本発明によれば、任意の部品を固定する部品点数により他の物体を押付けて固定することができ、任意の部品及び他の物体を固定することができる割に表示装置のコストをより一層低減できる。
【発明を実施するための最良の形態】
【００２２】
以下本発明をその実施の形態を示す図面に基づいて詳述する。図１は本発明に係る表示装置のシャーシの構成を示す概略斜視図、図２は図１の仮想円内の拡大図、図３は図２のIII −III 線の拡大断面図、図４は表示装置の一部を拡大した断面図、図５は表示装置の全体の分解斜視図である。
【００２３】
図示した表示装置はテレビ画像を表示し、略直方体をなす表示部１と、該表示部１の後側に配されたバックライト部２と、該バックライト部２を支持するシャーシ３と、該シャーシ３の後側に取着された電気部品４と、表示部１の前側周縁部を取囲むフロントキャビネット５と、バックライト部２及びシャーシ３の後側を覆うバックキャビネット６と、シャーシ３に取着され表示部１及びバックライト部２を起立状態で支持したスタンド７とを備える液晶テレビである。
【００２４】
表示部１は前側に画像表示面を有する液晶のパネル１ａと、該パネル１ａの後側に配置された光学シート１ｂ及び拡散板１ｃを有する。
【００２５】
バックライト部２は両端部に電極を有する複数の蛍光管２ａ及び蛍光管２ａが放射した光を前記拡散板１ｃ側に反射させる反射板２ｂを備え、蛍光管２ａがパネル１ａと平行的に並置され、夫々の蛍光管２ａの両端部がシャーシ３に支持されており、また、夫々の蛍光管２ａの電極に電源線が接続されている。この電源線はシャーシ３の後側で複数本づつ束ね環２０により束ねられている。束ね環２０は図２に示すように略Ω形をなし、可撓性を有する。
【００２６】
シャーシ３は直方体をなす枠部材３１と、該枠部材３１の後側端を閉鎖する蓋板３２と、該蓋板３２に一端が固定された複数の軸体３３と、枠部材３１の中央側に離隔配置され、両端が枠部材３１の対向する二辺部に結合された二つの桟部材３４，３４と、枠部材３１の対向する他の二辺部及び桟部材３４，３４の間に配置され、両端が二辺部に結合された帯板状の補強部材３５，３５とを有する。軸体３３と桟部材３４，３４及び補強部材３５，３５とは蓋板３２の後側に配されている。また、補強部材３５，３５は軸体３３と対応する箇所に配され、中途には軸体３３が挿通される貫通孔３５ａが設けられている。
【００２７】
軸体３３は一端がカシメにより蓋板３２に固定され、蓋板３２の後面に突設されている。軸体３３の他端は螺子孔３３ａを有し、該螺子孔３３ａに頭付のボルト８が螺着され、該ボルト８により押付部材９及び固定補助体１０を取着してある。
【００２８】
ボルト８及び押付部材９は、前記束ね環２０を蓋板３２に押付けて固定する固定具Ａを構成している。押付部材９は、ボルト８が挿通される挿通孔９ａを有する被取着部９ｂ及び該被取着部９ｂから軸体３３の径方向に延出された押付部９ｃを有し、略長円形をなす板体からなり、押付部９ｃには束ね環２０に係合する係合凹部９ｄが設けられている。
【００２９】
固定補助体１０は、補強部材３５，３５の中途を蓋板３２に固定するものであり、ボルト８が挿通される挿通孔１０ａを有する被挾着部１０ｂ及び該被挾着部１０ｂの二つの側から軸体３３の一端側に延出された二つの押付部１０ｃ，１０ｃを有し、略コ字形をなしている。軸体３３の軸長方向である固定補助体１０の高さ、換言すると被挾着部１０ｂから押付部１０ｃ先端までの長さＨは、押付部材９の被取着部９ｂから補強部材３５までの距離Ｌより長くなっており、ボルト８の緊締により固定補助体１０が補強部材３５に押付力を加えるようになっている。尚、ボルト８の緊締により、補強部材３５を押付ける押付力が押付部１０ｃに加わるとともに、軸体３３に引上力が加わり、該引上力により蓋板３２が補強部材３５に押付けられ、押付部１０ｃと蓋板との間で補強部材３５を挾着する。
【００３０】
電気部品４はインバータ回路基板及び電源基板等を有し、蓋板３２の裏面に取着され、前記インバータ回路基板及び電源基板に前記電源線が接続されている。
【００３１】
以上のように構成された表示装置のバックライト部２はシャーシ３の枠部材３１内に支持され、バックライト部２に接続された複数の電源線がシャーシ３の蓋板３２の後側で束ね環２０により束ねられ、該束ね環２０が固定具Ａにより蓋板３２に押付けて固定される。この固定は、蓋板３２に一端が固定された軸体３３の他端に固定補助体１０の被挾着部１０ｂ及び押付部材９の被取着部９ｂを載せ、被取着部９ｂの挿通孔９ａ及び被挾着部１０ｂの挿通孔１０ａにボルト８の螺子部を挿通し、該ボルト８を軸体３３の螺子孔３３ａに緊締することにより押付部材９の係合凹部９ｄが束ね環２０に係合し、該束ね環２０を蓋板３２に押付けて固定することができる。このとき、固定補助体１０の押付部１０ｃ，１０ｃ先端を補強部材３５，３５の一面に当接させる。従って、ボルト８の緊締により固定補助体１０の被挾着部１０ｂを軸体３３の他端と押付部材９との間で挾着し、押付部１０ｃ，１０ｃを補強部材３５，３５に押付け、該補強部材３５，３５を蓋板３２に押付けて固定することができる。
【００３２】
このように電源線の束ね環２０を固定する固定具Ａのボルト８を固定操作することにより、束ね環２０の固定とともに補強部材３５，３５を蓋板３２に押付けて固定することができるため、固定補助体１０を固定操作する手段を特別に設ける必要がなく、補強部材３５，３５の固定作業性を向上でき、また、簡易な構成により補強部材３５，３５を固定することができる。
【００３３】
図６〜図１２は本発明に係る表示装置の他の実施の形態を示す要部の断面図である。図６は被挾着部１０ｂ及び二つの押付部１０ｃ，１０ｃを有する固定補助体１０の被挾着部１０ｂが押付部材９の被取着部９ｂと一体に設けられている。換言すれば、固定補助体１０の二つの押付部１０ｃ，１０ｃが押付部材９と一体に設けられている。この実施の形態にあっては、部品点数を低減でき、また、固定補助体１０の押付部材９に対する位置ずれがなく、固定補助体１０の固定作業性をより一層向上できる。
【００３４】
図７は固定補助体１０の押付部１０ｃを一つとし、該押付部１０ｃを軸体３３に対して押付部材９の押付部と反対側に配してある。
【００３５】
図８は押付部１０ｃを一つとした固定補助体１０の押付部１０ｃを軸体３３に対して押付部材９の押付部９ｃ側に配してある。
【００３６】
図９は固定補助体１０を、挿通孔を有する被挾着部１０ｂと、該被挾着部１０ｂから軸体３３の径方向に延出された押付部１０ｄ及び該押付部１０ｄの先端から軸体３３の一端側に延出された押付部１０ｅを有する構成としたものである。
【００３７】
図１０は固定具Ａの固定操作手段としてボルト８を備える代わりに、ナット１１を備える構成としたものである。軸体３３の他端には被取着部９ｂの挿通孔９ａ及び被挾着部１０ｂの貫通孔１０ａに挿通される螺子軸部３３ｂが設けられており、該螺子軸部３３ｂにナット１１が螺着されている。この実施の形態にあっては、ナット１１を緊締することにより押付部材９及び固定補助体１０を押付け、束ね環２０及び補強部材３５，３５を蓋板３２に押付けて固定することができる。
【００３８】
図１１は固定具Ａの固定操作手段としてボルト８、ナット１１を備える代わりに、圧入ピン１２を備える構成としたものである。軸体３３の他端には嵌入孔３３ｃが設けられており、該嵌入孔３３ｃに圧入ピン１２が圧入されている。この実施の形態にあっては、該圧入ピン１２の圧入により押付部材９及び固定補助体１０を押付け、束ね環２０及び補強部材３５，３５を蓋板３２に押付けて固定することができる。
【００３９】
図１２は固定具Ａの固定操作手段としてボルト８、ナット１１及び圧入ピン１２を備える代わりに、一端にカシメ部３３ｄを有し、他端に頭部３３ｅを有する軸体３３の頭部３３ｅを押付部材９に当接させ、蓋板３２に明けられた取着孔に軸体３３のカシメ部３３ｄを挿嵌し、該カシメ部３３ｄをかしめることにより押付部材９及び固定補助体１０を押付け、束ね環２０及び補強部材３５，３５を蓋板３２に押付けて固定することができるように構成したものである。
図６〜１２においてその他の構成及び作用は図１〜５に示した実施の形態と同様であるため、同様の部品については同じ符号を付し、その詳細な説明及び作用効果の説明を省略する。
【００４０】
なお、以上説明した実施の形態では、電源線の束ね環２０を任意の部品とし、シャーシ３の補強部材３５，３５を任意の他の物体としたが、その他、束ね環２０と異なる部品及び補強部材３５，３５と異なる物体であってもよく、前記部品及び物体の構成は特に制限されない。また、固定補助体１０の構成も特に制限されない。
【００４１】
また、本発明に係る表示装置は液晶テレビ等の液晶表示装置である他、プラズマ表示装置、ＥＬディスプレィ等の表示装置であってもよい。
【図面の簡単な説明】
【００４２】
【図１】本発明に係る表示装置のシャーシの構成を示す概略斜視図である。
【図２】図１の仮想円内の拡大図である。
【図３】図２のIII −III 線の拡大断面図である。
【図４】本発明に係る表示装置の一部を拡大した断面図である。
【図５】本発明に係る表示装置の全体の分解斜視図である。
【図６】本発明に係る表示装置の他の実施の形態を示す要部の断面図である。
【図７】本発明に係る表示装置の他の実施の形態を示す要部の断面図である。
【図８】本発明に係る表示装置の他の実施の形態を示す要部の断面図である。
【図９】本発明に係る表示装置の他の実施の形態を示す要部の断面図である。
【図１０】本発明に係る表示装置の他の実施の形態を示す要部の断面図である。
【図１１】本発明に係る表示装置の他の実施の形態を示す要部の断面図である。
【図１２】本発明に係る表示装置の他の実施の形態を示す要部の断面図である。
【符号の説明】
【００４３】
１    表示部
２    バックライト部
３    シャーシ
３３  軸体
３５  補強部材（任意の他の物体）
Ａ    固定具
８    ボルト（取着手段）
９    押付部材
９ｂ  被取着部
９ｃ  押付部
１０  固定補助体
１０ｂ  被挾着部
１０ｃ  押付部
２０  束ね環（任意の部品） 
【図１】
2007108603.tif 000003
【図２】
2007108603.tif 000004
【図３】
2007108603.tif 000005
【図４】
2007108603.tif 000006
【図５】
2007108603.tif 000007
【図６】
2007108603.tif 000008
【図７】
2007108603.tif 000009
【図８】
2007108603.tif 000010
【図９】
2007108603.tif 000011
【図１０】
2007108603.tif 000012
【図１１】
2007108603.tif 000013
【図１２】
2007108603.tif 000014